(57)【要約】【課題】座布団上に座る利用者の体重を正確に測定してディスプレイでき、保管、利用、携帯が便利である座布団を提供する。【解決手段】座布団は、底部を構成するフレキシブルなシート２１０と、一体形の矩形空間部２２１を備えるフレキシブルな下敷き２２０と、空間部２２１に注入される圧力伝達媒体と、フレキシブルな下敷きに加えられる外部圧力によって圧力伝達媒体に加えられる圧力を感知して体重として示す体重計２３０を備える。体重計２３０は空間部２２１の中に位置して下敷きと接触しなく圧力伝達媒体に加えられる圧力を感知するロードセル２３１と、ロードセルに加えられる圧力値から体重を演算する制御部２３６と、体重値を示す第１表示部２３３ａと、制御部によって入力された所定の設定値と第１表示部の体重値の差を示す第２表示部２３３ｂを備える。【選択図】図５
2019148579.tif 000002
【特許請求の範囲】
【請求項１】
底部を構成するフレキシブルなシートと、
前記フレキシブルなシート上に構成される一体形の矩形空間部を備えるフレキシブルな下敷きと、
前記フレキシブルな下敷きの空間部に注入される圧力伝達媒体と、
前記フレキシブルな下敷きに加えられる外部圧力によって前記圧力伝達媒体に加えられる圧力を感知して体重として示す体重計を備えるともに、
前記体重計は、
前記フレキシブルな下敷きの空間部の中に位置して前記下敷きと接触しなく前記圧力伝達媒体に加えられる圧力を感知するロードセルと、
前記ロードセルに加えられる圧力値から体重を演算する制御部と、
前記制御部の演算内容である体重値を示す表示部を備えることを特徴とする、体重計を備える座布団。
【請求項２】
前記体重計は、前記ロードセルを支持し前記底部を構成するフレキシブルなシートに固定されるベース体をさらに備えることを特徴とする請求項１に記載の体重計を備える座布団。
【請求項３】
前記表示部は、実測の体重値を示す第１表示部と、前記制御部によって入力された所定の設定値と前記第１表示部の体重値の差を示す第２表示部を備えることを特徴とする請求項１に記載の体重計を備える座布団。
【請求項４】
前記圧力伝達媒体は空気または流体からなることを特徴とする請求項１に記載の体重計を備える座布団。
【請求項５】
前記フレキシブルな下敷きの空間部の厚さは３０〜１００ｍｍ、前記フレキシブルな下敷き上面の面積は９００〜２，５００ｃｍ２を有するように構成されることを特徴とする請求項１に記載の体重計を備える座布団。
【発明の詳細な説明】
【技術分野】
【０００１】
本発明は座布団に関し、より詳しくは座布団の利用者の体重を測定してディスプレイできるとともに運搬、保管および利用の便利さがある体重計を備える座布団に関する。
【背景技術】
【０００２】
一般に、荷重測定装置、即ち体重計が設置された座布団は椅子の座などに設置されて姿勢の矯正用で利用されたり指圧計などの付加装置が設置されたりする場合が多い。
従来の座布団の一例は大韓民国特許登録第１０−１５５１５７５号に開示されている。
従来の座布団１００は、図１および図２のように、電源スイッチのオン・オフによって外部の電源を入力させて必要とする電源に変換させて供給する座布団またはクッションの形態からなる本体部１１０を備える。座布団１００は、前記本体部の上部に、空気が注入される多数の空気エンボス部１２０を備える。座布団１００は、前記本体部１１０から電源が供給され、空気注入制御信号によって空気を前記空気エンボス部１２０に注入する多数の空気注入部１３０−１〜１３０−Ｎを備える。
【０００３】
また、座布団１００は、前記本体部１１０から電源が供給され、前記空気エンボス部１２０に注入された空気の圧力を感知する多数の空気圧感知部１４０−１〜１４０−Ｎと、前記本体部から電源が供給され、脊椎などの姿勢矯正のために座布団の利用者が前記空気エンボス部１２０に座る場合該利用者の部分体重などを感知する多数の体重感知部１６０−１〜１６０−Ｍと、利用者が座る前の初期状態で前記空気エンボス部を同じ高さにするための初期空気圧力値と、利用者が座った状態からの体中心に基づいてこれに対応してノーマルな対称姿勢に矯正するための矯正空気圧力値などを予め設定して記憶するメモリ部１８０を備える。
【０００４】
また、座布団１００は、前記本体部１１０から電源が供給され、前記体重感知部で感知した部分体重などを分析して座った状態からの利用者の体中心を把握し、利用者の把握された体中心に対応する矯正空気圧力値などを前記メモリ部１８０から読み出すとともに、前記空気圧感知部から感知した空気圧が、読み出した矯正空気圧力値になるまでに空気が前記空気エンボス部に注入されるようにするための空気注入制御信号を生成して前記空気注入部に入力する制御部１７０を備える。
【０００５】
また、座布団１００は、前記本体部１１０から電源が供給され、前記制御部から入力される空気排出制御信号によって前記空気エンボス部に注入された空気を排出する多数の空気排出部１５０−１〜１５０−Ｎを備える。
【０００６】
前記制御部１７０は、前記空気圧感知部で感知した空気圧が、前記読み出した矯正空気圧力値になるまでに前記空気エンボス部に注入された空気を排出するための排出制御信号を生成して前記空気排出部に入力できるように構成されている。
【０００７】
前記のように構成されている座布団は、本体部１１０が電源スイッチのオン・オフによって外部の電源を入力させて必要とする電源に変換して供給する段階；
前記本体部から電源が供給された多数の空気圧感知部１４０−１〜１４０−Ｎが、前記本体部の上部に形成された多数の空気エンボス部１２０に注入された空気の圧力を感知する段階；
姿勢矯正のために利用者が前記空気エンボス部に座る場合、前記本体部から電源が供給された多数の体重感知部１６０−１〜１６０−Ｍが、利用者の部分体重などを感知する段階；
制御部１７０が前記体重感知部で感知した部分体重などを分析して座った状態で利用者の体中心を把握する段階；
前記本体部から電源が供給された前記制御部が、前記把握された利用者の体中心に対応する矯正空気圧力値などを読み込む段階；
前記制御部が、前記感知した空気圧が前記読み込んだ矯正空気圧力値になるまでに空気が前記空気エンボス部１２０に注入されるようにするための空気注入制御信号を生成して多数の空気注入部１３０−１〜１３０−Ｎに入力する段階；
前記本体部から電源が供給された前記空気注入部が、前記注入制御信号によって空気を前記空気エンボス部１２０に注入する段階を経て駆動される。
【０００８】
前記のように構成されて制御される従来の座布団１００は利用者の身体不均衡を矯正することに特化されているが、一般的な座布団に利用することは限界がある。また、携帯、運搬および保管が不便であるだけでなくクッション部が必須に構成される座布団の特性を勘案すれば利用者が座布団の上に座ったときの体重を正確に測定することは難しい問題点がある。
【先行技術文献】
【特許文献】
【０００９】
【特許文献１】大韓民国特許登録第１０−１５５１５７５号
【発明の概要】
【発明が解決しようとする課題】
【００１０】
本発明は、前記従来技術の問題点を勘案して案出されたものであり、座布団上に座る利用者の体重を正確に測定してディスプレイすることができ、保管、利用、携帯が便利である座布団を提供することを目的とする。
本発明の他の目的は、座布団の利用者が所定の体重値を入力した後、該座布団上に着席する場合、該入力された体重値と利用者の体重測定値を比較演算して、差分値をディスプレイしたりアラームしたりすることができるようにして利用者の体重増減を容易にわかることができるようにする座布団を提供することである。
【課題を解決するための手段】
【００１１】
前記目的の達成のために本発明の体重計を備える座布団は、底部を構成するフレキシブルなシートと、前記フレキシブルなシート上に構成される一体形の矩形空間部を備えるフレキシブルな下敷きと、前記フレキシブルな下敷きの空間部に注入される圧力伝達媒体と、前記フレキシブルな下敷きに加えられる外部圧力によって前記圧力伝達媒体に加えられる圧力を感知して体重として示す体重計を備えるともに、前記体重計は前記フレキシブルな下敷きの空間部の中に位置して前記下敷きと接触しなく前記圧力伝達媒体に加えられる圧力を感知するロードセルと、前記ロードセルに加えられる圧力値から体重を演算する制御部と、前記制御部の演算内容である体重値を示す表示部を備えることを特徴とする。
また、前記体重計は、前記ロードセルを支持し前記底部を構成するフレキシブルなシートに固定されるベース体をさらに備えることを特徴とする。
【００１２】
また、前記表示部は実測の体重値を示す第１表示部と、前記制御部によって入力された所定の設定値と前記第１表示部の体重値の差を示す第２表示部からなることを特徴とする。
また、前記圧力伝達媒体は空気または流体からなることを特徴とする。
また、前記フレキシブルな下敷きの空間部の厚さは３０〜１００ｍｍ、前記フレキシブルな下敷き上面の面積は９００〜２，５００ｃｍ２を有するように構成されることを特徴とする。
【発明の効果】
【００１３】
本発明の体重計を備える座布団は、空間部が一個からなる一体形のフレキシブルな下敷きの空間部にロードセルを設置し、該ロードセルは前記空間部の中で該空間部に加えられる圧力を感知できるようにし、ロードセルは前記下敷きの下部に位置して底部を構成するフレキシブルなシートに固定されるベース体に支持できるように構成して、体重計をクッションがある座布団に構成しても荷重測定の精密度を具現できる効果を得る。
また、体重計を座布団に設置しても座布団が柔らかいので簡単に巻いて保管したり曲げ畳めることができるので家庭や食堂等で一般の座布団のように利用できる効果を得る。
【図面の簡単な説明】
【００１４】
【図１】従来の姿勢矯正用の座布団を示す立体図。
【図２】従来の姿勢矯正用の座布団を示すブロック図。
【図３】本発明の体重計を備える座布団の立体図。
【図４】本発明の体重計を備える座布団の断面図。
【図５】本発明の体重計を備える座布団に荷重が加えられた状態を示す断面図。
【図６】本発明の体重計を備える座布団を示すブロック図。
【図７】本発明の体重計を備える座布団の他の例を示す断面図。
【発明を実施するための形態】
【００１５】
以下、図３乃至図７を参考にして本発明の体重計を備える座布団の技術構成および作用を詳しく説明する。
本発明の体重計を備える座布団２００は、図３、４、６のように底部を構成するフレキシブルなシート２１０と、前記フレキシブルなシート上に構成される一体形の矩形空間部２２１を備えるフレキシブルな下敷き２２０から構成される。
【００１６】
前記フレキシブルなシート２１０は、気密を維持するためのビニールなどが付着された布や天然皮革または人工皮革などから構成できる。また前記フレキシブルな下敷き２２０は、座布団の利用者が座る部分であるので一体形の空間部２２１が気密で完全に密閉された状態で該空間部に注入された圧力伝達媒体（空気または水などの流体を利用できるが、重さ、取り扱いの便宜上空気を利用することが好ましい）に圧力が加えられても該圧力伝達媒体が外部に漏れないようにする伸縮性が小さくフレキシブルな皮革などの材質を利用することが好ましい。図５のようにフレキシブルな下敷き２２０上に利用者が体重をのせて着席したとき、フレキシブルな下敷き２２０の面がフレキシブルなシート２１０面と接触できないほどの圧力伝達媒体が注入される。圧力伝達媒体の注入量が少なくてフレキシブルな下敷き２２０上に利用者が体重をのせて着席したとき、フレキシブルな下敷き２２０面がフレキシブルなシート２１０面と接触すると正確な荷重を測定することができないためである。
圧力伝達媒体は、圧力伝達媒体の注入口２２２を介して適量が注入されたり排気されたりする。
特に、前記フレキシブルな下敷きに加えられる外部圧力によって前記圧力伝達媒体に加えられる圧力を感知して体重に示す体重計２３０が座布団に設置されている。
【００１７】
前記体重計２３０は、一例として図４のように前記フレキシブルな下敷きの空間部２２１の中に位置して前記下敷きと接触しなく前記圧力伝達媒体に加えられる圧力を感知するロードセル２３１と、前記ロードセルを支持し前記底部を構成するフレキシブルなシート２１０の外部に露出されて固定されるプラスチックなどからなる硬質のベース体２３２と、前記ロードセルに加えられる圧力値から体重を演算する制御部２３６と、前記制御部の演算内容である体重値を示す表示部２３３を備える。前記制御部２３６とロードセル２３１は配線２３４によって接続され、前記制御部２３６には図示されていない小型の電池を利用して電源が供給できるようにする。
【００１８】
前記ロードセル２３１は図４のようにフレキシブルなシート２１０の外部に露出されて固定されるプラスチックなどからなる硬質のベース体２３２に固定される構造に限定されなく、図７のようにベース体２３２がフレキシブルなシート２１０の外部に露出できないように空間部側のフレキシブルなシート２１０上に固定してもよい。
【００１９】
前記ロードセル２３１は圧力と荷重に対して構造的に安定した変形を生じる弾性変形体（elastic  strain  member）の感知要素から発生する物理的な変形をストレーンゲージを利用して電気抵抗に変換させて、ホイートストンブリッジ（Wheatstone  bridge）という電気回路を構成して精密な電気信号に変換させる原理を利用して構成するものであるが、この技術は既に公知とされて体重計などに利用されている技術であるので詳しい説明は省略する。
【００２０】
また、前記表示部２３３は、前記制御部２３６によってロードセルに加えられる圧力から演算された体重値を示す第１表示部２３３ａと、前記制御部を介して利用者が入力した所定の設定値と前記第１表示部の体重値の差を示す第２表示部２３３ｂを備える。前記第２表示部は別のアラーム装置や音声装置をさらに備えてもよい。前記のように第１表示部２３３ａと第２表示部２３３ｂおよびアラーム装置を備える理由は、座布団の利用者が食物摂取のとき予め設定された重量以上の食物を摂取する場合、食べ過ぎないように情報を提供するためである。
【００２１】
また、体重測定モードにセットしたり、表示部２３３に示された内容をリセットしたり、制御部にコマンドを指令したりするための入力キー２３５をさらに設けてもよい。前記体重測定モードのセッティングは、一例として利用者が座布団上に座っていない状態で空間部２２１に注入された圧力伝達媒体の圧力値を制御部が予め差引演算して表示窓に０Ｋｇが示されることを意味する。勿論、体重測定モードにセットされた座布団の下敷き上に利用者が座る場合、該下敷き上に加えられる追加圧力値から前記差引演算された圧力値を加算することにより第１表示部に利用者の体重値を正確に示すことができる。前記制御部２３６および表示部２３３は、フレキシブルな下敷き上に設置された構造を例示しているが、座布団外部に設置して配線ケーブルなどで接続する構造に構成してもよい。
【００２２】
また、前記ロードセル２３１を支持するベース体２３２を底部のフレキシブルなシート２１０に固定する理由は座布団自体のクッションがロードセルの圧力感知に影響を与えることを最小にするためのものである。
【００２３】
前記のように構成される本発明の座布団は、特にフレキシブルな下敷き２２０上に利用者が体重をのせて着席したときフレキシブルな下敷き２２０面がフレキシブルなシート２１０面と接触されないようにフレキシブルな下敷き２２０の空間部の厚さは３０〜１００ｍｍにし、下敷きの上面の面積は利用者が全体体重をのせて座ることができるよう９００〜２，５００ｃｍ２の大きさで構成することが好ましい。
【符号の説明】
【００２４】
２００：体重計を備える座布団：
２１０：フレキシブルなシート
２２０：フレキシブルな下敷き
２２１：空間部
２２２：圧力伝達媒体の注入口
２３０：体重計
２３１：ロードセル
２３２：ベース体
２３３：表示部
２３４：配線
２３５：入力キー
２３６：制御部
２３３ａ：第１表示部
２３３ｂ：第２表示部
【図１】
2019148579.tif 000003
【図２】
2019148579.tif 000004
【図３】
2019148579.tif 000005
【図４】
2019148579.tif 000006
【図５】
2019148579.tif 000007
【図６】
2019148579.tif 000008
【図７】
2019148579.tif 000009